(57)【特許請求の範囲】
【請求項１】
被写体を撮像する撮像部と、
スケジュール時間とイベント情報が対応付けられているスケジュール情報を取得する取得手段と、
前記取得したスケジュール情報を参照し、当該スケジュール情報に基づいて前記撮像部を作動させる制御手段と、を含み、
前記スケジュール情報は、オート撮影スケジュールを特定の文字列を含んで記憶しており、
前記制御手段は、前記スケジュール情報を参照し、前記文字列が文字と数字を含む場合は、前記文字によって指定された撮影モードにおける、当該数字に対応する数または時間の長さを指定することを特徴とするカメラ。
【請求項２】
前記制御手段は、前記文字列が文字と数字を含む場合は、当該数字に対応する数または時間の長さとして、撮影枚数、撮影時間、又は撮影間隔を指定することを特徴とする請求項１に記載のカメラ。
【請求項３】
前記スケジュール情報は、前記文字列と前記撮影モードを対応付けるテーブルを更に含むことを特徴とする請求項１または２に記載のカメラ。
【請求項４】
前記撮像部とは異なる筐体に収容され前記撮像部と無線で接続されるウエアラブルデバイスをさらに含み、
前記スケジュール情報は当該ウエアラブルデバイスに記憶されていることを特徴とする請求項１に記載のカメラ。
【請求項５】
前記撮像部と前記ウエアラブルデバイスは、常時無線接続するのではなく、前記スケジュール情報の前記スケジュール時間に入る所定時間前に無線確立（ペアリング）することを特徴とする請求項４に記載のカメラ。
【請求項６】
センサを更に備え、
前記制御手段は、前記文字列の内容が前記センサのセンシング結果を示す場合は、前記オート撮影スケジュールとして、前記センサのセンシング結果を指定するように前記撮像部を作動させることを特徴とする請求項１乃至５いずれか１項に記載のカメラ。
【請求項７】
被写体を撮像する撮像部を備えたカメラのコンピュータが、
スケジュール時間とイベント情報が対応付けられているスケジュール情報を取得する取得工程と、
前記取得したスケジュール情報を参照し、当該スケジュール情報に基づいて前記撮像部を作動させる制御工程と、を実行し、
前記スケジュール情報は、特定の文字列を含んで構成されており、
前記制御工程は、前記スケジュール情報を参照し、前記文字列が文字と数字を含む場合は、前記文字によって指定された撮影モードにおける、当該数字に対応する数または時間の長さを指定することを特徴とする方法。
【請求項８】
被写体を撮像する撮像部を備えたカメラのコンピュータを、
スケジュール時間とイベント情報が対応付けられているスケジュール情報を取得する取得手段、
前記取得したスケジュール情報を参照し、当該スケジュール情報に基づいて前記撮像部を作動させる制御手段、として機能させ、
前記スケジュール情報は、特定の文字列を含んで構成されており、
前記制御手段は、前記スケジュール情報を参照し、前記文字列が文字と数字を含む場合は、前記文字によって指定された撮影モードにおける、当該数字に対応する数または時間の長さを指定することを特徴とするプログラム。
【発明の詳細な説明】
【技術分野】
【０００１】
本発明は、カメラにおいて、スケジュールに応じてオート撮影を行うための技術に関する。
【背景技術】
【０００２】
従来から、カメラをスケジュールに基づいてオート撮影させる技術は色々知られている。例えば、特許文献１には、「撮影スケジュールを設定する撮影スケジュール設定手段と、撮影スケジュールに基づいて撮影を行う撮影手段」が開示されている。
特許文献２には、自動撮影の条件を任意に設定できる技術が開示されている。
特許文献３には、自動撮影の開始条件をメタデータに記録する技術が開示されている。
特許文献４には、スケジュール情報を参照し、自動撮影する技術が開示されている。
特許文献５には、運動会のプログラムを撮影した映像を文字認識してスケジュール情報を作成し、撮影スケジュールを作成して自動撮影する技術が開示されている。
【先行技術文献】
【特許文献】
【０００３】
【特許文献１】特開２０１２−１８５２６号公報
【特許文献２】特開２００９−７１３４４号公報
【特許文献３】特開２０１２−１５６８２２号公報
【特許文献４】ＷＯ２０１０／０４７３３６号
【特許文献５】特開２００９−１８２５４４号公報
【発明の概要】
【発明が解決しようとする課題】
【０００４】
特許文献１〜３記載の技術では、自動撮影条件を予め用意しておいてその中から選択しなければならず、ユーザが自由に自動撮影スケジュールを決めることができないという課題があった。また先行文献４、５に記載の技術では、日程スケジュールに応じて自動撮影スケジュールを決めることはできるが、ユーザが日程スケジュール情報に自動撮影スケジュールを登録するには手間がかかるという課題があった。
この発明は、ユーザが簡単にオート撮影スケジュールを登録できることを目的とする。
【課題を解決するための手段】
【０００５】
請求項１記載の発明は、被写体を撮像する撮像部と、スケジュール時間とイベント情報が対応付けられているスケジュール情報を取得する取得手段と、を含み、前記スケジュール情報は、特定の文字列を含んで構成されており、前記制御手段は、前記スケジュール情報を参照し、前記文字列が文字と数字を含む場合は、前記文字によって指定された撮影モードにおける、当該数字に対応する数または時間の長さを指定することを特徴とするカメラを提供するものである。
【発明の効果】
【００１０】
本発明によれば、簡単にオート撮影のスケジュールを設定することができ、それを基にオート撮影処理を実行することができる。
【図面の簡単な説明】
【００１１】
【図１】本発明の一実施の形態の概観を示す図である。
【図２】本発明の一実施の形態の撮像部１とウエアラブルデバイス２の内部構成概略を示すブロック図である。
【図３】本発明の一実施の形態のウエアラブルデバイス２の制御部２０の動作を説明するためのフローチャートである。
【図４】本発明の一実施の形態の撮像部１の制御部１０の動作を説明するためのフローチャートである。
【図５】本発明の一実施の形態のスケジュール帳４０の構成を示す図である。
【図６Ａ】本発明の一実施の形態の文字列と撮影モードの関係を示す文字列−撮影モードテーブル２８を説明するための図である。
【図６Ｂ】本発明の一実施の形態のアイコンと撮影モードの関係を示すアイコン−撮影モードテーブルを説明するための図である。
【図７】スケジュールに応じてオート撮影を行う動作を説明するためのフローチャートである。
【図８】図７の変形例を示す図である。
【発明を実施するための形態】
【００１２】
以下、図面を参照しながら本発明の実施の形態について説明する。なお、旅行などのスケジュールとオート撮影のスケジュールを区別するため、前者を「日程スケジュール」、後者を「オート撮影スケジュール」と表現する。また、「オート撮影」と「自動撮影」、「シャッタタイミング」と「撮影タイミング」、「ウエアラブルデバイス」と「携帯可能な装置」は本明細書においては同義として扱う。また、「撮像」と「撮影」については、一般的に撮像デバイスが画像を取り込むことを撮像といい、装置やユーザが撮像デバイスを使って画像を取り込むことを撮影というが、本明細書では同義として扱う。
【００１３】
＜構成＞
図１は、本発明の一実施の形態の外観を示す図である。１００はカメラシステムであり、撮像部１と腕に装着するリスト端末型をしたウエアラブルデバイス２が例えばブルートゥース（Bluetooth）（登録商標）で無線接続される。更に、ウエアラブルデバイス２とスマートフォン３が無線接続される。スマートフォン３はインターネット２００と繋がっているので、撮像部１がウエアラブルデバイス２、スマートフォン３を経由してインターネットと繋がることで、画像の共有やＳＮＳサイトへの投稿ができる。ウエアラブルデバイスとは携帯可能な装置という意味合いであり、図１に示したようなリスト端末、スマートフォン、携帯カメラ、メガネ型カメラ等を含む。ウエアラブルデバイス２とスマートフォン３を兼用しても良い。
【００１４】
図２は、図１の実施の形態における撮像部１とウエアラブルデバイス２とスマートフォン３の内部構成の概略を示すブロック図である。
撮像部１において、１１はレンズ、ＣＣＤやＣＭＯＳ等の撮像素子、電子シャッタ、タイミング制御回路等を含む撮像デバイスである。１２は撮像デバイス１１により撮像された静止画、連写画像、動画等を記憶する記憶部である。ワークメモリとしても使用される。１３はウエアラブルデバイス２と無線で連携を取る通信制御部である。採用する通信技術はブルートゥース（Bluetooth）（登録商標）に限らずＷｉ-Ｆｉ（登録商標）や赤外線等でも良い。また、直接インターネット２００に接続するようにすることも可能である。１０は、撮像部１全体を制御するＣＰＵとプログラムを含む制御部である。１４は、後述するセンサ部２５と同様、各種センサを含むセンサ部であり、撮像部１付近の状況をセンシングするためのものである。
【００１５】
ウエアラブルデバイス２において、２０は、ウエアラブルデバイス２全体を制御するＣＰＵとプログラムを含む制御部である。２１は撮像部１と無線で連携を取る通信制御部である。スマートフォン３との接続制御も行う。なお、撮像部１を直接インターネット２００に接続するようにすることも可能である。２２は撮像部１で撮像され通信制御部１３、２１を介して送られてきた静止画、連写画像、動画等を記憶する記憶部である。ワークメモリとしても使用される。
【００１６】
４０は時間情報とイベント情報を対にして記憶するスケジュール帳である。スケジュール帳４０は、日程スケジュールとオート撮影スケジュールの対応を取るためのもので、図５に示すように、予定の時間（スケジュール時間）を登録する時間情報項目エリア４２と、その時間に行うイベント情報を登録するイベント情報項目エリア４３が対になっている。そして、オート撮影したいイベントに撮影指示情報を登録するための撮影情報項目エリア４１を含む。スケジュール帳４０は後述するスマートフォン３のスケジュール帳３５と連携している。
【００１７】
２３は表示部であり、撮像部１から送られてきた画像、記憶部２２に記憶された画像、スケジュール帳４０のスケジュール等を表示する。タッチパネルと一体形成されていても良い。この表示部２３は離れたところにある撮像部１の撮像画像のビューファインダとしてビデオスルー画像を表示し、また、撮影画像のモニタとして使用される。従って、ファインダ画像やオート撮影した画像を手元ですぐ見ることができる。撮像部１がユーザからは見えないところに置かれている場合も想定され、何が撮れるか常に見え、何が撮れたかすぐに分かる効果がある。更に、制御部２０に画像認識機能や画像拡大機能を持たせることも可能であり、「良い写真」が撮れたと判断されたら表示部２３に表示するようにしたり、撮影した画像の顔を認識して顔部分を拡大表示したりすることもできる。良い写真の判断手法はいくつか考えられるが、例えば笑顔検出、ぶれ度検出、顔の大きさの検出、等の技術を適用すればよい。
【００１８】
２４は、スケジュール入力をはじめ各種操作入力を行う操作部である。ただし、基本的にスケジュールの登録操作はスマートフォン３で行い、登録された結果がウエアラブルデバイス２に送られてくる。操作部２４は前記タッチパネルで兼用することもできる。
【００１９】
２５は、各種センサを含むセンサ部である。センサ部２５に含まれるセンサは、特にウエアラブルデバイス２の置かれている状況をセンシングして測定するためのものであり、速度センサ、加速度センサ、ジャイロセンサ（角速度センサ）、高度センサ、ＧＰＳ（位置検出）、歩数センサ（歩数検出）、気圧センサ、温度センサを含む。もちろんこれらに限定されるものではない。更に、センサ部２５には、時間を計時する計時部２６と、音声信号を検出するマイク部２７を含む。計時部２６の計時結果とマイク部２６の音声信号検知結果もセンシング信号に含む。２８は、後述する図６Ａに例示する文字列と撮影モードを対応付けるための文字列−撮影モードテーブルである。変形例である図６Ｂに例示するアイコン−撮影モードテーブルは２８‘とする。
【００２０】
スマートフォン３において、３０はＣＰＵとプログラムを含む全体を制御する制御部であり、インストール可能なアプリケーションプログラム３１を実行する。３２はウエアラブルデバイス２と無線接続するとともに、携帯電話回線若しくはＷｉ-Ｆｉでインターネット２００と接続する通信制御部である。３３は表示部であり、３４は表示部３３と一体化されたタッチパネルからなる入力部である。３５は、前記スケジュール帳４０と連携するスケジュール帳であり、スケジュール帳４０に対して入力操作のしやすいスマートフォン３の操作部３４でスケジュール登録をするためのものである。スマートフォン３については主要部分の構成のみ示し、その他は省略してある。
【００２１】
＜動作＞
次に、本実施の形態の概略動作について説明する。
図３はウエアラブルデバイス２の制御部２０の動作を示すフローチャートである。センサ部２５の各種センサのセンシング信号を定期的に取り込み（ステップＳ１１）、このセンシング信号がシャッタタイミングを示しているか否かを認識する（ステップＳ１２）。ここでシャッタタイミングでないと認識されれば（ＮＯ）ステップＳ１１へ戻り、シャッタタイミングであると認識されれば（ＹＥＳ）ステップＳ１３へ進んで、シャッタタイミングであることを示す制御信号を撮像部１へ送信する（ステップＳ１３）。
【００２２】
図４は撮像部１の制御部１０の動作を示すフローチャートである。ウエアラブルデバイス２から送られてくる制御信号を取り込み（ステップＳ２１）、その制御信号がシャッタタイミングを示す信号であるか、センサ部１４のセンシング結果を示す信号であるかを判別し（ステップＳ２２）、シャッタタイミングを示す信号であればステップＳ２４へ進んで撮像デバイス１１を制御して撮像処理を実行する。センシング結果を示す信号であれば、ステップＳ２３でこのセンシング信号がシャッタタイミングを示しているか否かを認識する。ここでシャッタタイミングでないと認識されれば（ＮＯ）ステップＳ２１へ戻り、シャッタタイミングであると認識されれば（ＹＥＳ）ステップＳ２４へ進んで、撮像処理を実行する。
【００２３】
次に、スケジュール帳４０の作成方法と利用方法について説明する。
図５にスケジュール帳４０の構成例を示す。このスケジュール帳４０は基本的にウエアラブルデバイス２に内蔵されており、連携するスマートフォン３のスケジュール帳３５からスケジュール登録ができるようになっている。
４１は、撮影スケジュールの撮影モードを指定するための文字列を登録する撮影情報項目エリアである。４２は、日程スケジュールの時間を登録する時間情報項目エリアである。４３は、日程スケジュールの前記時間情報と対応するイベント情報を登録するイベント情報項目エリアである。
【００２４】
図６Ａは、文字列と撮影モードを対応付けるための文字列−撮影モードテーブル２８の構成を示す。撮影情報項目エリア４１に登録した文字列に応じて、どのような撮影処理を行うかを定義してあるものである。これにより、文字認識をしなくても撮影モードの制御が可能である。これらの撮影情報項目は予め用意してあるものの中から選択するが、ユーザが好みの撮影モードと文字列の組み合わせを設定できる機能を設けることもできる。この文字列−撮影モードテーブル２８は、ウエアラブルデバイス２にあっても、撮像部１にあっても、スマートフォン３にあってもよい。
【００２５】
図６Ｂは、図６Ａの変形例を示すもので、文字列の代わりにアイコン（カメラマーク）の種類でどのような撮影処理を行うかを定義してあるものである。２８‘はアイコン−撮影モードテーブルであり、スチルカメラのアイコン４５、ムービーのアイコン４６、連写のアイコン４７が用意されており、これを選択してスケジュール帳４０に登録する。もちろん、これ以外のアイコンを用意しても良い。
【００２６】
続いて図７を用いてスケジュール帳４０の作成と利用について説明する。図７はウエアラブルデバイス２とスマートフォン３の全体的な動作を説明するためのフローチャートであって、実際にはウエアラブルデバイス２の制御部２０の処理と、スマートフォン３の制御部３０の処理が含まれている。
まず、ウエアラブルデバイス２とスマートフォン３を接続する（ペアリング確立）（ステップＳ７１）。更に、ウエアラブルデバイス２と撮像部１を接続する（ペアリング確立）（ステップＳ７２）。そしてスマートフォン３にてスケジュール帳３５にスケジュールを入力する（ステップＳ７３）。入力操作をするのはユーザであるが、制御部３０が入力操作を受け付ける処理をする（以下、入力操作について同様）。スケジュール帳４０は、時間情報を設定する時間情報項目エリア４２とイベント情報を設定するイベント情報項目エリア４３がセットになっているが、この時、オート撮影スケジュールを設定するために、撮影情報項目エリア４１に特定文字列を入力する。例えば「撮影」などである（ステップＳ７４）。
【００２７】
スケジュール撮影モードが開始されると（ステップＳ７５）、スマートフォン３からウエアラブルデバイス２にスケジュールデータを転送する（ステップＳ７６）。すなわち、図６に示したスケジュール帳はスマートフォン３でスケジュール帳３５として作成されてから、ウエアラブルデバイス２に転送される。そして、ウエアラブルデバイス２内で、スケジュール帳４０を監視し、計時部２６の計時情報と比較して、設定時刻になったか否かを判断する（ステップＳ７７）。ＮＯであればステップＳ７７をループし、ＹＥＳとなったらステップＳ７８に進んで、撮影情報項目エリア４１に入力された文字列を識別する。
【００２８】
この文字列は撮影モードを示しているもので、上記図６Ａに対応関係を例示する。例えば、「撮影」＝静止画１枚撮影する。「動画撮影」＝そのイベント中、動画撮影を行う。「連写１０分」＝そのイベント中、１０分に１枚の静止画を連写する。「連写０．５秒」＝そのイベント中、１秒に２枚の静止画を撮影する。「音声」＝そのイベント中、「わあきれい！」等の音声を検出してオート撮影を行う。更に、センサ部２５の各種センサのセンシング結果によってオート撮影を指示することもできる。例えば、「時速１０ｋｍ」＝速度センサのセンシング結果が時速１０ｋｍに達したときオート撮影を行う。「高度１０００ｍ」＝高度センサのセンシング結果が高度１０００ｍに達したときにオート撮影を行う。
【００２９】
これらは、予め文字列−撮影モードテーブル２８に対応付けて用意してあり、撮影情報項目エリア４１に登録した文字列によって、どのようなオート撮影するかを設定してあるものである。また、文字列が数字を含むか否かも認識しており、数字についてはその数字を認識して数値データとして時間、数、距離等の情報として扱う。
【００３０】
他方、図６Ｂの変形例のおいては、予め文アイコン−撮影モードテーブル２８‘に対応付けて用意してあり、「スチルカメラのアイコン４５」＝静止画撮影、「ムービーのアイコン４６」＝動画撮影、「連写のアイコン４７」＝連写撮影の指示であると認識してオート撮影を行う。もちろん、音声の指定やアイコンと数値の組み合わせも可能である。ユーザは用意されているアイコンの中から選択して撮影情報項目エリア４１に登録する。
【００３１】
＜変形例＞
図８は図７の変形例を示すもので、撮像部１とスマートフォン３を直接接続するものである。すなわちウエアラブルデバイスにスマートフォンが対応する。まず、スマートフォン３内でスケジュール帳を作成しておく（ステップＳ８１）。その後、撮像部１とスマートフォン３を接続する（ペアリンク確立）（ステップＳ８２）。ウエアラブルデバイス２にて「スケジュール撮影モード」を開始すると、そのためのスマートフォン３のアプリケーションプログラムを立ち上げる（ステップＳ８３）。そして、ステップＳ８４へ進む。ステップＳ８４乃至ステップＳ８６は図７のステップＳ７７乃至ステップＳ７９と同様であるが、スマートフォン３から直接撮像部１の撮影制御を行う点が異なっている。すなわち、ステップＳ８４でスケジュール時間になったか否かを判別し、ステップＳ８５で撮影情報項目エリア４１の文字列を識別し、ステップＳ８６でその文字列に対応した撮影処理を撮像部１に対して行わせるものである。
【００３２】
このように構成することにより、旅行等のイベントの日程スケジュールに、オート撮影スケジュールを組み込むことができ、予め撮影ポイント等を設定しておいてオート撮影することができる。また撮影予定のスケジュール時間帯内であれば、感動の言葉や予め設定した言葉でオート撮影することができる。スケジュール時間帯外では音声情報は無視されるので余計な撮影が行われることは無い。ユーザのライフスタイルとしては、リスト端末、スマートフォンは、２４時間いつもでも接続されているが、特定の利用シーンで接続を解除することもある。例えば海・川で使いたい場合、スマートフォンは濡れない場所に置いておく等、カメラとスマートウォッチは必要に応じて接続される。
【００３３】
以上、この発明の実施形態について説明したが、この発明はこれらに限定されるものではなく、特許請求の範囲に記載された発明とその均等の範囲を含むものである。
以下に、本願出願時の特許請求の範囲を付記する。
【００３４】
＜付記＞
［請求項１］
被写体を撮像する撮像部と、
スケジュール時間とイベント情報を対応付けて記憶するスケジュール帳と、
前記スケジュール帳に前記スケジュール時間とイベント情報に対応付けて特定の文字列を登録する登録手段と、
前記スケジュール帳を参照し、前記特定の文字列が登録されているスケジュール時間に、当該特定の文字列の内容に基づいて、前記撮像部を所定の撮影モードで作動させる制御手段と、
を含むカメラ。
［請求項２］
請求項１記載のカメラは、
前記撮像部と、該撮像部とは異なる筐体に収容され前記撮像部と無線で接続されるウエアラブルデバイスとを含み、前記スケジュール帳は当該ウエアラブルデバイスに含まれることを特徴とする。
［請求項３］
前記撮像部と前記ウエアラブルデバイスは、常時無線接続するのではなく、前記スケジュール帳に登録されているスケジュール時間に入る所定時間前に無線確立（ペアリング）することを特徴とする請求項２記載のカメラ。
［請求項４］
前記制御手段は、前記文字列が文字のときは、撮影モードとして当該文字に対応して静止画、連写、又は動画を指定するように前記撮像部を作動させることを特徴とする請求項１乃至３いずれかに記載のカメラ。
［請求項５］
前記制御手段は、前記文字列が数字を含むときは、撮影モードとして当該数字に対応する撮影枚数、撮影時間、又は撮影間隔を指定するように前記撮像部を作動させることを特徴とする請求項１乃至３いずれかに記載のカメラ。
［請求項６］
センサを更に備え、
前記制御手段は、前記文字列の内容がセンサのセンシング結果を示すときは、オート撮影条件として前記センサのセンシング結果を指定するように前記撮像部を作動させることを特徴とする請求項１乃至３いずれかに記載のカメラ。
［請求項７］
音声検知手段を更に備え、
前記特定の文字列の内容が音声を示すときは、撮影モードとして前記スケジュール時間と前記音声検知手段が検出した音声に応じて前記撮像部を作動させることを特徴とする請求項１乃至３いずれかに記載のカメラ。
［請求項８］
前記特定の文字列と、前記制御手段が前記撮像部を作動させる内容との関係を対応付けて記憶するテーブルを更に備えることを特徴とする請求項１乃至７いずれかに記載のカメラ。
［請求項９］
被写体を撮像する撮像部と、
スケジュール時間とイベント情報を対応付けて記憶するスケジュール帳と、
前記スケジュール帳に前記スケジュール時間とイベント情報に対応付けて特定のアイコンを登録する登録手段と、
前記スケジュール帳を参照し、前記特定のアイコンが登録されているスケジュール時間に、当該特定のアイコンの種類に基づいて、前記撮像部を作動させる制御手段と、
を含むカメラ。
［請求項１０］
入力手段を備えたカメラのＣＰＵがスケジュールに応じてオート撮影を制御する方法であって、
前記入力手段からの入力に応じてスケジュール時間とイベント情報を対応付けて記憶するスケジュール帳を登録する工程と、
前記入力手段からの入力に応じて前記スケジュール帳に前記スケジュール時間とイベント情報に対応付けて特定の文字列又は特定のアイコンを登録する工程と、
前記スケジュール帳を参照し、前記特定の文字列又は特定のアイコンが登録されているスケジュール時間に、当該特特定の文字列又は特定のアイコンの内容に基づいて撮影処理を行わせる工程と、
を含む方法。
［請求項１１］
カメラのＣＰＵを、
スケジュール時間とイベント情報を対応付けて記憶するスケジュール帳を登録する手段と、
前記スケジュール帳に前記スケジュール時間とイベント情報に対応付けて特定の文字列を登録する手段と、
前記スケジュール帳を参照し、前記特定の文字列が登録されているスケジュール時間に、当該特定の文字列又は特定のアイコンの内容に基づいて撮影処理を行わせる手段と、
して機能させるプログラム。
［請求項１２］
撮像部と無線で接続されるウエアラブルデバイスのＣＰＵを、
スケジュール時間とイベント情報を対応付けて記憶するとともに、前記スケジュール時間とイベント情報に対応付けて特定の文字列又は特定のアイコンが登録されているスケジュール情報を受信する手段と、
前記スケジュール情報を参照し、前記特定の文字列又は特定のアイコンが登録されているスケジュール時間に、当該特定の文字列又は特定のアイコンの内容に基づいて前記撮像部に撮像処理を行わせる信号を送信する手段と、
して機能させるプログラム。
【符号の説明】
【００３５】
１      撮像部
２      ウエアラブルデバイス
３      スマートフォン
１０      制御部
１１      撮像デバイス
１２      記憶部
１３      通信制御部
１４      センサ部
２０      制御部
２１      通信制御部
２２      記憶部
２３      表示部
２４      操作部
２５      センサ部
２６      計時部
２７      マイク部
２８      文字列−撮影モードテーブル
３０      制御部
３１      アプリケーションプログラム
３２      通信制御部
３３      表示部
３４      操作部
３５      スケジュール帳
４０      スケジュール帳
４１      撮影情報項目エリア
４２      時間情報項目エリア
４３      イベント情報項目エリア
４４      撮影項目エリア
４５、４６、４７  アイコン
１００      カメラシステム
２００      インターネット
【図１】
0006398536.tif 000002
【図２】
0006398536.tif 000003
【図３】
0006398536.tif 000004
【図４】
0006398536.tif 000005
【図５】
0006398536.tif 000006
【図６Ａ】
0006398536.tif 000007
【図６Ｂ】
0006398536.tif 000008
【図７】
0006398536.tif 000009
【図８】
0006398536.tif 000010